【手続補正書】
【提出日】平成23年3月22日(2011.3.22)
【手続補正１】
【補正対象書類名】特許請求の範囲
【補正対象項目名】全文
【補正方法】変更
【補正の内容】
【特許請求の範囲】
【請求項１】
モニタを机上面のアパーチャの少なくとも部分的に下にマウントすることによって該アパーチャを通して視られることを可能にするモニタ支持装置であって、該装置は、
ａ）スペーサアーム部材であって、該スペーサアーム部材は、
机上面の裏側に固定可能な机係合板と、
机取り付け板から固定角度で延び、少なくとも一対の実質的に平行な細長いスロットを備えている細長いスロット付きの板と
を備えている、スペーサアーム部材と、
ｂ）モニタマウント手段であって、該モニタマウント手段は、少なくとも２つのボルト穴を有するスペーサ係合板を備え、該少なくとも２つのボルト穴のそれぞれを通して１つのボルトが該モニタマウント手段を、該スペーサアーム部材の該細長いスロット付きの板に固定するように需要され得る、モニタマウント手段と
を備え、該少なくとも一対の細長いスロットは、該ボルト穴の相対的間隔と整合する相対的間隔を有することにより、一対のボルト穴が一対の細長いスロットと協働することを可能にする、モニタ支持装置。
【請求項２】
前記細長いスロット付き板は、
外側の対の実質的に平行な細長いスロットと、
内側の対の実質的に平行な細長いスロットと
中央の実質的に平行な細長いスロットと
を備えている、請求項１に記載のモニタ支持装置。
【請求項３】
前記モニタマウント手段を前記スペーサアーム部材に解放可能に固定する締め付け手段をさらに含む、請求項１または２に記載のモニタ支持装置。
【請求項４】
前記締め付け手段は、ボルトである、請求項３に記載のモニタ支持装置。
【請求項５】
前記スペーサアーム部材は、机に対して、該スペーサアーム部材上にマウントされたモニタの平行移動を可能にし、該平行移動は、水平方向成分と垂直方向成分とを有する、請求項１から４のいずれかに記載のモニタ支持装置。
【請求項６】
前記平行移動は、モニタが全体的にまたは部分的に机上面の下に沈められることを可能にする、請求項５に記載のモニタ支持装置。
【請求項７】
前記モニタマウント手段は、フラットパネルモニタに取り付けるために適合されたモニタブラケットである、請求項１から６のいずれかに記載のモニタ支持装置。
【請求項８】
前記モニタブラケットは、フラットパネルモニタの任意の大きさにフィットするように適合され可能である、請求項７に記載のモニタ支持装置。
【請求項９】
前記モニタブラケットは、フラットパネルモニタの背面に取り付けるための手段を含む、請求項７または８に記載のモニタ支持装置。
【請求項１０】
フラットパネルモニタの背面に取り付けるための前記手段は、標準フラットパネルモニタの背面にある標準マウント構成と協働するように適合される、請求項９に記載のモニタ支持装置。
【請求項１１】
フラットパネルモニタの背面に取り付けるための前記手段は、フラットパネルモニタの背面の正方形あるいは四角形のくぼみに受容可能な実質的にＸ型の板を含む、請求項９または請求項１０に記載のモニタ支持装置。
【請求項１２】
前記実質的にＸ型の板は、４つの角の延長部を有し、各延長部は脆弱な除去可能な終端部分を有し、該脆弱な除去可能な終端の部分除去はＸ型の板のサイズを減少させる、請求項１１に記載のモニタ支持装置。
【請求項１３】
各角の延長部は、ボルト穴を提供され、該ボルト穴は、前記フラットパネルモニタの背面の対応するボルト穴と協働する、請求項１２に記載のモニタ支持装置。
【請求項１４】
前記モニタマウント手段は、ラップトップコンピュータのクレードルである、請求項１に記載のモニタ支持装置。
【請求項１５】
前記ラップトップコンピュータのクレードルは、開いた構成において、ラップトップの基部を支持する基板部分と、ラップトップの画面部分を支持する背面部分とを含む、請求項１４に記載のモニタ支持装置。
【請求項１６】
前記基板部分は、ラップトップを該基板部分にしっかりと維持するために、外部の高くなった開口を含む、請求項１５に記載のモニタ支持装置。
【請求項１７】
前記ラップトップコンピュータのクレードルは、少なくとも１つの換気孔を含む、請求項１４から１６のいずれかに記載のモニタ支持装置。
【請求項１８】
前記ラップトップコンピュータのクレードルは、少なくとも１つのラップトップケーブルを収容するための少なくとも１つのケーブルアパーチャを含む、請求項１４から１７のいずれかに記載のモニタ支持装置。
【請求項１９】
前記ラップトップコンピュータのクレードルは、ラップトップセキュリティストラップを受容するように適合される、請求項１４から１８のいずれかに記載のモニタ支持装置。
【請求項２０】
机取り付け具をさらに備え、該机取り付け具は、前記机上面の下側あるいは前記机の背面壁に取り付け可能である、請求項１から１９のいずれかに記載のモニタ支持装置。
【請求項２１】
前記スペーサアームの前記机係合板は、前記机取り付け具の中にスライド可能に受容可能である、請求項２０に記載のモニタ支持装置。
【請求項２２】
前記机係合板の位置を、部分的にあるいは全体的に前記机取り付け具内に固定するための手段をさらに含む、請求項２１に記載のモニタ支持装置。
【請求項２３】
前記固定するための手段は、前記机取り付け具内の細長いスロットと、前記係合板の対応するボルト穴と、該机取り付け具と前記スペーサアームとの間の相対的な動きを防ぐための、前記スロットとボルト穴を通って受容され得るボルトとを含む、請求項２２に記載のモニタ支持装置。
【請求項２４】
机取り付け具とモニタブランケットとを組み込むモニタ支持装置であって、該モニタ支持装置は、モニタが机上面のアパーチャの少なくとも部分的に下にマウントすることによって該アパーチャを通して視られることを可能にするし、該モニタブランケットは、フラットパネルモニタの背面の正方形あるいは四角形のくぼみに受容可能な実質的にＸ型の板を含み、該実質的にＸ型の板は、４つの角の延長部を有し、各延長部は脆弱な除去可能な終端部分を有し、該脆弱な除去可能な終端の部分の除去はＸ型の板のサイズを減少させる、モニタ支持装置。
【請求項２５】
机上面の下側あるいは机の背面壁に取り付け可能な机取り付け具と、モニタマウント手段であって、該モニタマウント手段は、少なくとも部分的に机上面のアパーチャの下にマウントされることによって該アパーチャを通して視られることを可能にする、モニタマウント手段とを備え、該モニタマウント手段は、該机取り付け具にスライド可能に受容可能な机係合板を備え、該机取り付け具の細長いスロットおよび該机係合板の対応するボルト穴は、ボルトが該スロットおよびボルト穴を通して受容されることにより、該机取り付け具とスペーサアームとの間の相対的な移動を防ぐことを可能にする、モニタ支持装置。
【請求項２６】
請求項１から２５のいずれかに記載のモニタ支持装置と共に使用するように適合された机であり、該机は、アパーチャを有する机上面を含み、該アパーチャを通して、該モニタ支持装置にマウントされたモニタが視られる、机。
【請求項２７】
前記アパーチャは、少なくとも１つの取り外し可能な透明ガラスのシートを含む、請求項２６に記載の机。
【請求項２８】
前記ガラスは、強化されている、請求項２７に記載の机。
【請求項２９】
前記アパーチャは、少なくとも１つの取り外し可能な不透明板を含む、請求項２６から２８のいずれかに記載の机。
【請求項３０】
前記机上面の下にマウントされたスライド可能なキーボードトレイをさらに含む、請求項２６から２９のいずれかに記載の机。
【請求項３１】
前記机の移動のために少なくとも２つの車輪をさらに含む、請求項２６から３０のいずれかに記載の机。
【請求項３２】
中央処理ユニットＣＰＵと、ＣＰＵを支持するブラケットとをさらに含む、請求項２６から３１のいずれかに記載の机。
【請求項３３】
請求項１から２５のいずれかに記載のモニタ支持装置を組み込む、請求項２６から３２のいずれかに記載の机。
【手続補正２】
【補正対象書類名】明細書
【補正対象項目名】００３９
【補正方法】変更
【補正の内容】
【００３９】
本発明は、以下の添付の図面を参照して記述される。
（項目１）
机取り付け具とモニタマウント手段とを組み込むモニタ支持装置であって、少なくとも部分的に机上面のアパーチャの下にモニタがマウントされ、その結果、該モニタが該アパーチャを通して視られることを可能にする、モニタ支持装置。
（項目２）
上記モニタマウント手段は、その上に取り付けられるモニタを、上記机上面に関して所定の固定角度で配置するように適合される、項目１に記載のモニタ支持装置。
（項目３）
モニタマウント手段が、
モニタを支持するモニタブラケットと、
該モニタを上記固定角度に維持するスペーサアーム部材と
を含み、
該モニタブラケットは、該スペーサアーム部材に解放可能に係合可能である、項目２に記載のモニタ支持装置。
（項目４）
上記スペーサアーム部材は、上記机取り付け具への取り付けのための手段を含む、項目３に記載のモニタ支持装置。
（項目５）
上記モニタブラケットは、フラットパネルモニタへの取り付けに適合される、項目３あるいは項目４に記載のモニタ支持装置。
（項目６）
上記モニタブラケットを上記スペーサアーム部材に解放可能に固定する締め付け手段をさらに含む、項目３から５のいずれかに記載のモニタ支持装置。
（項目７）
モニタブラケットは、少なくとも１つのボルト穴を含み、上記締め付け手段はボルトである、項目３から６のいずれかに記載のモニタ支持装置。
（項目８）
上記スペーサアーム部材は、その長手方向の軸に沿った少なくとも１つの細長いスロットを含み、該細長いスロットを通ってボルトが受容され得て、上記モニタブラケットを該スペーサアーム部材に固定する、項目７に記載のモニタ支持装置。
（項目９）
上記モニタブラケットは、少なくとも２つのボルト穴を含み、上記スペーサアーム部材は、少なくとも１対の平行な細長いスロットを含み、該細長いスロットは、該モニタブラケットのボルト穴の間隔に整合する相対的間隔を有し、１対のボルト穴が１対の細長いスロットと協働することを可能にする、項目８に記載のモニタ支持装置。
（項目１０）
上記スペーサアーム部材は、上記机に関して、その上にマウントされるモニタの平行移動を可能にし、該平行移動は水平方向成分と垂直方向成分とを有する、項目３から９のいずれかに記載のモニタ支持装置。
（項目１１）
上記平行移動は、モニタが全体的にあるいは部分的に机上面の下に沈められることを可能にする、項目１０に記載のモニタ支持装置。
（項目１２）
上記モニタブラケットは、フラットパネルモニタの任意のサイズに合うように適合可能である、項目３から１１のいずれかに記載のモニタ支持装置。
（項目１３）
上記モニタブラケットは、上記フラットパネルモニタの背面に取り付けるための手段を含む、項目３から１２のいずれかに記載のモニタ支持装置。
（項目１４）
フラットパネルモニタの上記背面に取り付けるための上記手段は、標準フラットパネルモニタの該背面にある標準マウント構成と協働するように適合される、項目１３に記載のモニタ支持装置。
（項目１５）
フラットパネルモニタの上記背面に取り付けるための上記手段は、該フラットパネルモニタの背面の正方形あるいは四角形のくぼみに受容可能な実質的にＸ型の板を含む、項目１３あるいは項目１４に記載のモニタ支持装置。
（項目１６）
上記実質的にＸ型の板は、４つの角の延長部を有し、各延長部は脆弱な除去可能な終端部分を有し、該脆弱な除去可能な終端の部分除去はＸ型の板のサイズを減少させる、項目１５に記載のモニタ支持装置。
（項目１７）
各角の延長部は、ボルト穴と共に提供され、上記フラットパネルモニタの背面の対応するボルト穴と協働する、項目１６に記載のモニタ支持装置。
（項目１８）
上記モニタブラケットは、ラップトップコンピュータのクレードルである、項目３から１１のいずれかに記載のモニタ支持装置。
（項目１９）
上記ラップトップコンピュータのクレードルは、開いた構成において、上記ラップトップの基部を支持する基板部分と、ラップトップの画面部分を支持する背面部分とを含む、項目１８に記載のモニタ支持装置。
（項目２０）
上記基板部分は、ラップトップを該基板部分にセキュアに維持するために、外部の高くなった開口を含む、項目１９に記載のモニタ支持装置。
（項目２１）
上記ラップトップコンピュータのクレードルは、少なくとも１つの換気孔を含む、項目１８から２０のいずれかに記載のモニタ支持装置。
（項目２２）
上記ラップトップコンピュータのクレードルは、少なくとも１つのラップトップケーブルを収容するための少なくとも１つのケーブルアパーチャを含む、項目１８から２１のいずれかに記載のモニタ支持装置。
（項目２３）
上記ラップトップコンピュータのクレードルは、ラップトップセキュリティストラップを受容するように適合される、項目１８から２２のいずれかに記載のモニタ支持装置。
（項目２４）
上記机取り付け具は、上記机上面の下側にあるいは上記机の背面壁に取り付け可能である、項目１から２３のいずれかに記載のモニタ支持装置。
（項目２５）
上記スペーサアームの上記机取り付け具への取り付けのための上記手段は、上記机取り付け具の中にスライド可能に受容可能である机係合板を含む、項目４から２４のいずれかに記載のモニタ支持装置。
（項目２６）
上記机係合板の位置を、部分的にあるいは全体的に上記机取り付け具内に固定するための手段をさらに含む、項目２５に記載のモニタ支持装置。
（項目２７）
上記固定のための手段は、上記机取り付け具内の細長いスロットと、上記係合板の対応するボルト穴と、該机取り付け具と上記スペーサアームとの間の相対的な動きを防ぐための、上記スロットとボルト穴を通って受容され得るボルトとを含む、項目２６に記載のモニタ支持装置。
（項目２８）
項目１から２７のいずれかに記載のモニタ支持装置と共に使用するように適合され、机上面を含む、机。
（項目２９）
上記机上面のアパーチャを含み、該アパーチャを通してモニタ支持装置内に取り付けられたモニタが視える、項目２８に記載の机。
（項目３０）
上記アパーチャは、少なくとも１つの取り外し可能な透明ガラスのシートを含む、項目２９に記載の机。
（項目３１）
上記ガラスは、強化されている、項目３０に記載の机。
（項目３２）
上記アパーチャは、少なくとも１つの取り外し可能な不透明板を含む、項目２８に記載の机。
（項目３３）
上記机上面の下にマウントされたスライド可能なキーボードトレイをさらに含む、項目２８から３２のいずれかに記載の机。
（項目３４）
上記机の移動のために少なくとも２つの車輪をさらに含む、項目２８から３３のいずれかに記載の机。
（項目３５）
中央処理ユニットＣＰＵと、ＣＰＵを支持するブラケットとをさらに含む、項目２８から３４のいずれかに記載の机。
（項目３６）
項目１から２７のいずれかに記載のモニタ支持装置を組み込む、項目２８から３５のいずれかに記載の机。
（項目３７）
実質的に添付の図面を参照して明細書に記述されたようなモニタ支持装置、および、添付の図面に示されたようなモニタ支持装置。